(57)【特許請求の範囲】
【請求項１】
ケース（１１０）と、発光部（１２０）と、受光部（１３０）と、制御部（１４０）と、を含んで構成され、車両ガラス（１０）に付着されるレインセンサーであって、
前記ケース（１１０）には、車両ガラス（１０）に付着される面の一部分が陷沒して、室内空気と接することができる霜感知領域（１１１）が形成され、
前記発光部（１２０）は、車両ガラス（１０）の室外面と前記霜感知領域（１１１）で全反射されるように光を発光し、
前記受光部（１３０）は、前記全反射された光を受光して信号を出力し、
前記制御部（１４０）は、前記受光部（１３０）の信号を受信して、車両ガラス（１０）の室外面の雨粒の状態及び車両ガラス（１０）の室内面に生成された霜の状態を分析し、
車両の内部と前記霜感知領域（１１１）とを接続する空気通路（１１２）が、前記霜感知領域（１１１）と同一面が陥没して形成され、室内空気が、前記空気通路（１１２）を通して前記霜感知領域（１１１）に導入されることを特徴とする霜感知機能を持つレインセンサー。
【請求項２】
前記制御部（１４０）は、前記雨粒及び霜の状態を分析した結果によって、車両のワイパーと空調装置を制御する信号を出力することを特徴とする請求項１に記載の霜感知機能を持つレインセンサー。
【請求項３】
前記発光部（１２０）は、
光を発光する発光モジュール（１２１）と、
前記発光モジュール（１２１）から発光された光が平行に反射されるように放物面状の反射面を持ち、車両ガラス（１０）の方向に反射されるようにする発光放物面鏡モジュール（１２２）と、
前記発光放物面鏡モジュール（１２２）で反射された光が平行に維持されて透過するようにする発光鋸歯型回転プリズム（１２３）と、を含むことを特徴とする請求項１に記載の霜感知機能を持つレインセンサー。
【請求項４】
前記発光放物面鏡モジュール（１２２）は、前記発光モジュール（１２１）から発光された光が車両ガラス（１０）で全反射可能な角度で入射するように反射させることを特徴とする請求項３に記載の霜感知機能を持つレインセンサー。
【請求項５】
前記受光部（１３０）は、
前記発光モジュール（１２１）から発光されて車両ガラス（１０）で全反射された光を受光する受光モジュール（１３１）と、
前記車両ガラス（１０）で全反射された光が透過する受光鋸歯型回転プリズム（１３２）と、を含むことを特徴とする請求項３に記載の霜感知機能を持つレインセンサー。
【請求項６】
前記受光部（１３０）は、放物面状の反射面を持つ受光放物面鏡モジュール（１３３）を含むことを特徴とする請求項５に記載の霜感知機能を持つレインセンサー。
【請求項７】
前記発光部（１２０）は二つ以上からなり、前記雨粒を感知することができる感知領域が二つ以上であることを特徴とする請求項１に記載の霜感知機能を持つレインセンサー。
【発明の詳細な説明】
【技術分野】
【０００１】
本発明は霜感知機能を持つレインセンサーに係り、より詳細には、車両ガラスに付着されてガラス表面の雨粒及び霜を感知し、感知された物質の種類及び量と雨粒の落下周期によって車両のワイパーと空調装置を制御するように信号を出力する霜感知機能を持つレインセンサーに関する。
【背景技術】
【０００２】
近年、車両に設けられたレインセンサー（ｒａｉｎ  ｓｅｎｓｏｒ）は、車両ガラスに付いた雨粒及び異物を感知すれば、車両のワイパー（ｗｉｐｅｒ）が作動するように制御信号を出力して車両ガラスの雨粒及び異物を除去することができる。ところで、冬季には車両内外部の温度差によって車両ガラスの室内面に霜が生成され運転者の視野を邪魔するので、除霜が必要になる。すなわち、運転者がヒーター及び熱線などの空調装置で除霜するが、一度霜が生成し始めると、一時消えてからまた持続的に生成されるので、手動で空調装置を毎度作動させなければならない不便さがある。したがって、レインセンサーの機能に霜感知機能を付け加えることで、降雨及び霜の生成のいずれも感知して自動で空調装置を作動させて、運転者の運転に役立てることができる霜感知機能を持つレインセンサーが切実である。
【０００３】
一方、車両ガラスに生成された霜を除霜する技術に関し、大韓民国特許公開第１０−２０１１−００６８３０７号公報には、車両ガラスの除霜装置及び方法（特許文献１）が開示されており、大韓民国特許登録第１０−０２２９７７２号公報にはウィンドシールドガラスの氷感知時の音声確認装置（特許文献２）が開示されている。特許文献１は、外気センサーで検出された外気温度と現在設定された暖房モードの種類が既設定の判断条件を満たす場合、自動で現在の外気温度に対応するフロー電圧値が送風機の駆動部に伝達され、最終にヒーターを通じて吐き出される風量及び吐出強度などによって除霜することができる。特許文献２は、自動車のエンジンの始動時、ウィンドシールドガラス重量センサーと外気温度センサーで検出された値を分析し、ウィンドシールドガラスに氷があると判断して空調装置を作動させ、音声で現在状況につていの案内メッセージを出力することができる。すなわち、ウィンドシールドガラスの重量が増加し、外気温度が氷生成温度である場合、空調装置を作動させてウィンドシールドガラスの氷を除去することができる。
【０００４】
前述したような除霜技術は、外気センサーで検出された外気温度から水の露点を感知して霜の生成を予測するという点は肯定的であるが、温度予測の誤差または温度分布の非均一性によって、誤作動が発生する可能性がある。したがって、外気温度によって霜の生成を予測する方法よりは、直接霜を感知するよう構成し、降雨及び霜の生成のいずれも感知できるようにすることが望まれる。
【先行技術文献】
【特許文献】
【０００５】
【特許文献１】大韓民国特許公開第１０−２０１１−００６８３０７号公報
【特許文献２】大韓民国特許登録第１０−０２２９７７２号公報
【発明の概要】
【発明が解決しようとする課題】
【０００６】
本発明はこのような要求に応えるためになされたものであって、本発明の目的は、室外面の雨粒の状態及び車両ガラスの室内面に生成された霜の状態を分析できる霜感知機能を持つレインセンサーを提供することにある。
【課題を解決するための手段】
【０００７】
本発明による霜感知機能を持つレインセンサーは、ケース（１１０）と、発光部（１２０）と、受光部（１３０）と、制御部（１４０）と、を含んで構成され、車両ガラス（１０）に付着されるレインセンサーであって、前記ケース（１１０）には、車両ガラス（１０）に付着される面の一部分が陷沒して、室内空気と接することができる霜感知領域（１１１）が形成され、前記発光部（１２０）は、車両ガラス（１０）の室外面と前記霜感知領域（１１１）で全反射されるように光を発光し、前記受光部（１３０）は、前記全反射された光を受光して信号を出力し、前記制御部（１４０）は、前記受光部（１３０）の信号を受信して、車両ガラス（１０）の室外面の雨粒の状態及び車両ガラス（１０）の室内面に生成された霜の状態を分析し、車両の内部と前記霜感知領域（１１１）とを接続する空気通路（１１２）が、前記霜感知領域（１１１）と同一面が陥没して形成され、室内空気が、前記空気通路（１１２）を通して前記霜感知領域（１１１）に導入されることを特徴とする。
【０００８】
前記制御部（１４０）は、前記雨粒及び霜の状態を分析した結果によって、車両のワイパーと空調装置を制御する信号を出力することを特徴とする。
【０００９】
前記発光部（１２０）は、光を発光する発光モジュール（１２１）と、前記発光モジュール（１２１）から発光された光が平行に反射されるように放物面状の反射面を持ち、車両ガラス（１０）の方向に反射されるようにする発光放物面鏡モジュール（１２２）と、前記発光放物面鏡モジュール（１２２）で反射された光が平行に維持されて透過するようにする発光鋸歯型回転プリズム（１２３）と、を含むことを特徴とする。
【００１０】
前記発光放物面鏡モジュール（１２２）は、前記発光モジュール（１２１）から発光された光が車両ガラス（１０）で全反射可能な角度で入射するように反射させることを特徴とする。
【００１１】
前記受光部（１３０）は、前記発光モジュール（１２１）から発光されて車両ガラス（１０）で全反射された光を受光する受光モジュール（１３１）と、前記車両ガラス（１０）で全反射された光が透過する受光鋸歯型回転プリズム（１３２）と、を含むことを特徴とする。
【００１２】
前記受光部（１３０）は、放物面状の反射面を持つ受光放物面鏡モジュール（１３３）を含むことを特徴とする。
【００１３】
前記発光部（１２０）は二つ以上からなり、前記雨粒を感知することができる感知領域が二つ以上であることを特徴とする。
【発明の効果】
【００１４】
本発明による霜感知機能を持つレインセンサーによれば、ケースには、車両ガラスに付着される面の一部分が陷沒して、室内空気と接することができる霜感知領域が形成され、発光部は、  車両ガラスの室外面と霜感知領域で全反射されるように光を発光し、受光部は、全反射された光を受光して信号を出力し、制御部は、受光部の信号を受信して分析するように構成したので、車両ガラスの室外面の雨粒の状態及び車両ガラスの室内面に生成された霜の状態を知ることができる。雨粒の落下周期も検知できる。分析結果に基づき車両のワイパーと空調装置を制御することで、ワイパー及び空調装置の無駄な動きをなくすことができる。
また、本発明によれば、レインセンサーで霜が感知できるので、霜感知センサーを必要とせず、コストが抑えられるとの効果も有する。
【図面の簡単な説明】
【００１５】
【図１】本発明による霜感知機能を持つレインセンサーが車両に付着される一例を示した斜視図である。
【図２】本発明による霜感知機能を持つレインセンサーの主要構成を概略的に示した斜視図である。
【図３】本発明による霜感知機能を持つレインセンサーの内部構成及び作動による光の移動経路を簡略に示した概略図である。
【図４】本発明の他の実施例による霜感知機能を持つレインセンサーの内部構成及び作動による光の移動経路を簡略に示した概略図である。
【図５】本発明による霜感知機能を持つレインセンサーが各感知領域で感知することによって変わる光を簡略に示した概略図である。
【図６】本発明による霜感知機能を持つレインセンサーが複数の感知領域で感知することによって変わる光を簡略に示した概略図である。
【発明を実施するための形態】
【００１６】
以下、図面を参照して、本発明による霜感知機能を持つレインセンサーを詳しく説明する。
【実施例】
【００１７】
図１は、本発明による霜感知機能を持つレインセンサーが車両に付着される一例を示した斜視図である。図１に示すように、レインセンサー１００は、車両の前面ガラスに付着されたものを示している。なお、レインセンサーは、車両の前面ガラスだけでなく、車両のガラスの中でワイパーが設けられる後面ガラスにも付着できる。レインセンサー１００は、車両ガラスに付着されるものなので、車両ガラス表面の屈曲に合うようにその外形の屈曲を設計することができる。本発明によるレインセンサー１００は、小型に設計してあることから、車両ガラス表面の屈曲に合わせる必要がなく、車両ガラスのどこの部分にも付着できる。
【００１８】
図２は、本発明による霜感知機能を持つレインセンサーの主要構成を概略的に示した斜視図である。図２に示すように、レインセンサー１００は、ケース１１０、発光部１２０、受光部１３０及び制御部１４０を含むことができる。ケース１１０は、レインセンサー１００の内部構成を保護し、車両ガラス１０に一面が付着され、霜感知領域１１１及び空気通路１１２を含む。霜感知領域１１１は、ケース１１０の車両ガラス１０に付着される面に一部分が陷沒して形成された空間で、霜感知領域１１１に位置する車両ガラス１０に霜が生成することができる空間を形成する。
【００１９】
空気通路１１２は、前記霜感知領域１１１に室内空気が流入することができるように、霜感知領域１１１と同一面が陷沒して車両の室内と霜感知領域１１１を連結する。発光部１２０は、光を発光する手段であり、受光部１３０は発光部１２０から発光された光を受光し、受光された光を信号として出力し、制御部１４０はレインセンサー１００に内蔵され、受光部１３０から出力された信号を分析及び判断して、車両のワイパーと空調装置を制御することができる制御信号を出力する。本発明によるレインセンサー１００の霜感知領域１１１、発光部１２０及び受光部１３０は、発光部１２０から発光された光が車両ガラス１０及び霜感知領域１１１で全反射されて受光部１３０に受光可能な位置に設けられることが好ましい。
【００２０】
図３は、本発明による霜感知機能を持つレインセンサーの内部構成及び作動による光の移動経路を簡略に示した概略図である。図３に示すように、レインセンサー１００は、車両ガラス１０の前面に接着面２０を付着して、車両ガラス１０に落ちる雨粒を感知することができる。ここで、前面ガラスに落ちるものは、雨粒に限られず、雨粒と類似した物質も含まれる。接着面２０はシリコンを用いた接着が最も好ましい。
【００２１】
また、図３によれば、レインセンサー１００は、霜感知領域１１１、発光モジュール１２１、発光放物面鏡モジュール１２２、発光鋸歯型回転プリズム１２３、受光モジュール１３１、受光鋸歯型回転プリズム１３２及び制御部１４０を含むことができる。霜感知領域１１１は、車両ガラス１０の室内表面に生成された霜Ｆを感知できる。レインセンサー１００は、車両ガラス１０に付着される面の一部分が陷沒して形成され、室内空気と接することができるので、霜感知領域１１１に位置する車両ガラス１０に霜Ｆが生成できる。
【００２２】
図２に表示された発光部１２０は、光を発光する発光モジュール１２１、発光放物面鏡モジュール１２２及び発光鋸歯型回転プリズム１２３を含むことができる。発光モジュール１２１は、光を発光する手段である。ここで光は多様な形態の光を採用することができるが、赤外線を採用することが好ましい。また、発光モジュール１２１から発光する光は、発光放物面鏡モジュール１２２の方向に発光するように構成される。
【００２３】
また、設計条件によっては、発光モジュール１２１が、二つ以上から構成される場合、受光部１３０が、二つ以上の発光モジュール１２１から発光される光を区別することができるように、互いに異なる波長領域の光を発光するように設計することができる。発光放物面鏡モジュール１２２は、発光モジュール１２１から発光された光を車両ガラス１０の方向に入射させるために、図３に示すように、放物面状の反射面を持つように構成することができる。一般に、平行波長を持つ光は、放物面鏡によって集光できる。本発明のレインセンサー１００は、この点を逆に適用して、発光モジュール１２１から発光された光が発光放物面鏡モジュール１２２で平行に反射できるようにする。したがって、発光放物面鏡モジュール１２２は、発光モジュール１２１から発光された光が平行に反射できるように、放物面を屈曲させることが好ましい。
【００２４】
発光鋸歯型回転プリズム１２３は、発光放物面鏡モジュール１２２で反射された光を透過させる機能を有する。このような発光鋸歯型回転プリズム１２３は、発光放物面鏡モジュール１２２で反射された光の平行状態を維持するプリズムが内部方向に突出する。したがって、発光放物面鏡モジュール１２２で反射された光は発光鋸歯型回転プリズム１２３を通じて平行状態に入射角を維持することができる。
【００２５】
また、設計条件によっては、発光モジュール１２１が二つ以上からなることができるため、発光鋸歯型回転プリズム１２３は、それぞれの発光モジュール１２１から発光された光が単一の受光モジュール１３１に受光できるように、プリズムの方向を調節（回転）できる。ここで、回転は方向の調節を意味する。また、発光モジュール１２１から発光された光は、車両ガラス１０と霜感知領域１１１で全反射される光量によって雨粒Ｗ及び霜Ｆを感知することができる。この際、光が特定媒質で全反射されるためには、全反射可能な臨界角を超える角度で入射しなければならない。ここで、全反射は屈折率の高い媒質から屈折率の低い媒質に移動するときに発生し、媒質に入射する光が一定角度以上の入射角に至れば光が媒質の外部に離脱することができないので、一定角度を臨界角と言う。
【００２６】
本発明において、発光鋸歯型回転プリズム１２３が光の角度を調節することで、透過する光が車両ガラス１０で全反射可能な角度で入射する。一般に、車両ガラスの屈折率は１．５〜１．５１、空気の屈折率は１である。このような屈折率値から車両ガラス１０の臨界角を調べるために下記の式を用いる。
【００２７】
【数１】
0006778029.tif 000002
【００２８】
ここで、屈折率ｎ１は、車両ガラスの屈折率、屈折率ｎ２は空気の屈折率である。前記数式１によって得た臨界角は約４１．４°となる。すなわち、発光放物面鏡モジュール１２２を透過する光が車両ガラス１０で全反射できるように、４１．４度以上の角度で入射するように調節する。
【００２９】
受光部１３０は、光を受光する受光モジュール１３１、及び受光鋸歯型回転プリズム１３２を含むことができる。受光モジュール１３１は、光を受光する手段である。ここで、光は車両ガラス１０及び霜感知領域１１１で反射された光で、前記光を受光して制御部１４０に受光した光に対応する信号を出力する。受光鋸歯型回転プリズム１３２は、車両ガラス１０で全反射された光が受光モジュール１３１に受光できるように、当該光を受光モジュール１３１の方向に偏向させて受光されるように誘導することができる。すなわち、平行に入射した光が受光鋸歯型回転プリズム１３２のプリズムを透過しながら一地点に最大に集光するように誘導するものである。したがって、受光鋸歯型回転プリズム１３２はプリズムを通じて集光される領域が受光モジュール１３１となるように設計することが好ましい。
【００３０】
この際、受光鋸歯型回転プリズム１３２は、発光鋸歯型回転プリズム１２３と任意の垂直方向中心線を中心として互いに対称な方向に構成する。また、設計条件によって発光モジュール１２１が二つ以上で構成されることができる。受光鋸歯型回転プリズム１３２は、それぞれの発光モジュール１２１から発光された光が、車両ガラス１０で全反射されて単一の受光モジュール１３１に受光されるように、プリズムが回転できる。ここで、回転は、方向の調節を意味する。
【００３１】
制御部１４０は、受光モジュール１３１から出力された信号を受信し、車両と通信することで、制御信号を当該車両に伝送することができる。ここで、車両通信はＬＩＮ通信を採用することができる。ＬＩＮ通信は、Ｌｏｃａｌ  Ｉｎｔｅｒｃｏｎｎｅｃｔ  Ｎｅｔｗｏｒｋの略字で、主に車両ＥＣＵと能動センサー及び能動アクチュエーター間のデータ伝送に使われるので、雨粒を感知して能動的に車両のワイパーと空調装置を作動させるための本発明に適用するのに適する。
【００３２】
また、受信された信号を分析して雨粒Ｗ及び霜Ｆの存在有無が分かり、感知された物質の種類及び量と雨粒の周期（落下周期）によって適合した制御信号を当該車両に伝送することができる。これによって車両のワイパーと空調装置を制御して雨粒Ｗ及び霜Ｆを除去する。ここで、空調装置は霜Ｆを除去することができる手段で、自動車内のヒーターまたは車両ガラス１０の内部に埋め込まれた熱線を含む。よって、受光モジュール１３１から出力された信号に応じて空調装置を作動させて霜Ｆを除去する。
【００３３】
また、雨粒Ｗ及び霜Ｆに影響されて受光された光量のデータから臨界値を設定し、受光モジュール１３１から受けた信号は所定の臨界値によって判断して、車両のワイパーまたは空調装置を作動させる制御信号を出力することができる。ここで、臨界値は、車両のワイパーと空調装置を作動させるための雨粒Ｗ及び霜Ｆの量に対する最小値を意味する。すなわち、雨粒Ｗ及び霜Ｆの量が所定の臨界値未満の場合、車両のワイパーまたは空調装置を作動させないことで、不要なワイパーの作動を抑えることができる。
【００３４】
図４は、本発明の他の実施例による霜感知機能を持つレインセンサーの内部構成及び作動による光の移動経路を簡略に示した概略図である。図４に示すように、受光部１３０は受光放物面鏡モジュール１３３をさらに含むことができる。受光放物面鏡モジュール１３３は、発光モジュール１２１から発光された光が車両ガラス１０及び霜感知領域１１１で全反射された光のうち、受光モジュール１３１を外れる光を受光モジュール１３１に反射させるために放物面状の反射面を持つ。すなわち、図４に示すように構成することにより、本発明は車両ガラス１０で全反射された光を一層効率よく受光することができ、よって感知機能を上昇させることができる利点がある。
【００３５】
図５は、本発明による霜感知機能を持つレインセンサーが各感知領域で感知することによって変わる光を簡略に示したものであり、図６は、本発明による霜感知機能を持つレインセンサーが複数の感知領域で感知することによって変わる光を簡略に示したものである。図５及び図６に示す実線の矢印は、発光モジュール１２１から発光される光の量を示し、一点鎖線の矢印は、実線で表示された光から一部が損失された光の量を示し、点線の矢印は一点鎖線で表示する光の一部が損失された光の量を示す。ここで、点線の間隔が小さくて点線が稠密であるほど光量が少ないことを示す。
【００３６】
図５（ａ）の場合、車両ガラス１０に感知される物質がない状態であるとき、発光モジュール１２１から発光された光が、車両ガラス１０と霜感知領域１１１で全反射されて、受光モジュール１３１に受光される光の移動経路を示す。この際、発光モジュール１２１から発光された光は、臨界角を超える角度で車両ガラス１０に入射するため、入射した光は車両ガラス１０と霜感知領域１１１で全反射されて受光モジュール１３１に受光される。ここで、受光モジュール１３１に受光された光は全反射で受光されたので、発光モジュール１２１から発光された光の量と同一である。したがって、受光モジュール１３１に受光された光の量が発光モジュール１２１から発光された光の量と同一である場合、制御信号を出力せず、車両のワイパー及び空調装置が作動しないようにする。
【００３７】
図５（ｂ）〜図５（ｄ）に示すように、雨粒Ｗまたは霜Ｆを感知するとき、発光モジュール１２１から発光された光が、雨粒Ｗまたは霜Ｆが付いている領域に臨界角以上の角度で入射する場合、空気より屈折率が高い雨粒Ｗまたは霜Ｆによって一部の光は、外部に透過するか損失される。したがって、受光モジュール１３１は、受光される光の量を分析して雨粒Ｗまたは霜Ｆを感知し、信号を出力する。図５（ｂ）及び図５（ｄ）において、受光される光の量と図５（ｃ）において受光される光の量は同じ一点鎖線で表示したが、実際に雨粒Ｗ及び霜Ｆによって損失される光の量に差があるため、このような差によって受光モジュール１３１から出力される信号は互いに異なる。
【００３８】
図６（ａ）は、多量の雨粒Ｗ１、Ｗ２を感知するときの光量の変化を概略的に示したものである。発光モジュール１２１から発光された光が雨粒Ｗ１に反射されれば、一部の光は外部に透過するか損失され、一部の光は霜感知領域１１１に反射される。前記光は霜感知領域１１１で全反射されて雨粒（Ｗ２）の方向に反射され、雨粒Ｗ２によって一部の光は損失され、残りの光が受光モジュール１３１に受光される。したがって、受光モジュール１３１は、受光される光の量を分析して多量の雨粒（Ｗ１、Ｗ２）を感知し、信号を出力する。
【００３９】
図６（ｂ）及び図６（ｃ）は、雨粒Ｗと霜Ｆを感知するときの光量の変化を概略的に示したものである。発光モジュール１２１から発光された光が雨粒Ｗと霜Ｆを感知し、一部の光が損失され、残りの光は受光モジュール１３１に受光される。したがって、受光モジュール１３１は、受光される光の量を分析して雨粒Ｗと霜Ｆを感知し、信号を出力する。ここで、図６（ａ）において受光される光の量と図６（ｂ）及び図６（ｃ）において受光される光の量は同じ点線で表示したが、実際に雨粒Ｗ、Ｗ１、Ｗ２と霜Ｆを通じて損失される光量は差があるから、このような差によって受光モジュール１３１から出力される信号は互いに異なる。
【００４０】
図６（ｄ）は、多量の雨粒Ｗ１、Ｗ２と霜Ｆを感知するときの光量の変化を概略的に示したものである。発光モジュール１２１から発光された光は、すべての感知領域で多量の雨粒Ｗ１、Ｗ２と霜Ｆを感知し、一部の光は損失され、残りの光は受光モジュール１３１に受光される。従って、受光モジュール１３１は、受光される光の量を分析して多量の雨粒Ｗ１、Ｗ２と霜Ｆを感知し信号を出力する。
【００４１】
前述した雨粒Ｗと霜Ｆによる信号の大きさの分類は一例として提示したもので、さまざまな場合に対するデータベースを構築して別に信号分析に活用することもできる。このような過程により、本発明によるレインセンサーは、全反射を用いるレインセンサーで霜を感知する機能を含むので、追加の費用が発生しない。以上、図１〜図６に基づいて本発明の主要事項を説明したが、本発明は、この構成に限定されるものではない。
【符号の説明】
【００４２】
１０    車両ガラス
２０    接着面
１００    レインセンサー
１１０    ケース
１１１    霜感知領域
１１２    空気通路
１２０    発光部
１２１    発光モジュール
１２２    発光放物面鏡モジュール
１２３    発光鋸歯型回転プリズム
１３０    受光部
１３１    受光モジュール
１３２    受光鋸歯型回転プリズム
１３３    受光放物面鏡モジュール
１４０    制御部
Ｗ、Ｗ１、Ｗ２    雨粒
Ｆ    霜
【図１】
0006778029.tif 000003
【図２】
0006778029.tif 000004
【図３】
0006778029.tif 000005
【図４】
0006778029.tif 000006
【図５】
0006778029.tif 000007
【図６】
0006778029.tif 000008